【手続補正書】
【提出日】平成23年11月17日(2011.11.17)
【手続補正１】
【補正対象書類名】特許請求の範囲
【補正対象項目名】全文
【補正方法】変更
【補正の内容】
【特許請求の範囲】
【請求項１】
通信事業者自身の通信網に対する内線発信であるか当該通信事業者自身ではない通信網に対する内線発信であるかを仕分ける複数のＳＩＰサーバと、複数の通信事業者の通信網毎に内線発信を仕分ける共通ＳＩＰサーバとが通信可能に接続された通信制御システムであって、
前記複数のＳＩＰサーバの少なくとも１つは、
前記通信事業者自身の通信網の内線電話から、内線発信である着信先番号を受信する第１の受信手段と、
前記第１の受信手段で受信された着信先番号が、前記共通ＳＩＰサーバに送信するための識別番号を含んでいるかいなかを判定する第１の判断手段と、
前記第１の判断手段により、前記識別番号を含んでいると判定された場合には、前記受信した着信先番号から前記識別番号を削除した着信先番号を前記共通ＳＩＰサーバに送信し、かつ前記識別番号を含んでいないと判定された場合には、前記受信した着信先番号に従って前記通信事業者自身の通信網の着信先に着信すべく着信要求する第１の送信手段と、
を備え、
前記共通ＳＩＰサーバは、
前記複数のＳＩＰサーバの通信網の内線番号を記憶する第１の記憶手段と、
前記第１の送信手段により送信された着信先番号を受信する第２の受信手段と、
前記第２の受信手段で受信された着信先番号が、前記第１の記憶手段に記憶されているか判定する第２の判断手段と、
前記第２の判断手段により前記第２の受信手段が受信した着信先番号が前記第１の記憶手段に記憶されていると判定された場合に、前記第２の受信手段が受信した着信先番号に対応する前記複数のＳＩＰサーバの１つに前記第２の受信手段が受信した着信先番号を送信する第２の送信手段と、
を備えることを特徴とする通信制御システム。
【請求項２】
前記第２の送信手段は、前記第２の受信手段が受信した着信先番号を、前記第２の受信手段が受信した複数のＳＩＰサーバの１つではない複数のＳＩＰサーバの１つに送信することを特徴とする請求項１に記載の通信制御システム。
【請求項３】
前記第１の記憶手段は、前記複数のＳＩＰサーバの通信網の内線番号を、前記複数のＳＩＰサーバの通信網毎に分けて管理し、
前記第２の送信手段は、前記通信網毎に分けた内線番号から、前記第２の受信手段が受信した着信先番号に対応する前記複数のＳＩＰサーバの１つを識別し、前記第２の受信手段が受信した着信先番号を送信することを特徴とする請求項１または請求項２に記載の通信制御システム。
【請求項４】
前記第１の記憶手段が記憶する前記複数のＳＩＰサーバの通信網の内線番号は重複しない内線番号であることを特徴とする請求項１乃至請求項３のいずれか１項に記載の通信制御システム。
【請求項５】
前記通信事業者自身の通信網の内線電話から、内線発信である着信先番号を受信する前記複数のＳＩＰサーバの少なくとも１つは、
前記通信事業者自身の通信網の内線番号を記憶する第２の記憶手段と、
前記共通ＳＩＰサーバから、着信先番号を受信する第３の受信手段と、
前記第３の受信手段で受信された着信先番号が前記第２の記憶手段に記憶されているか判定する第３の判断手段と、
をさらに備えることを特徴とする請求項１乃至請求項４のいずれか１項に記載の通信制御システム。
【請求項６】
複数の通信事業者の通信網毎に内線発信を仕分け、複数のＳＩＰサーバの通信網の内線番号を記憶する第１の記憶手段に、１つのＳＩＰサーバから受信された着信先番号が記憶されている場合に、当該着信先番号に対応する前記複数のＳＩＰサーバの１つに当該着信先番号を送信する共通ＳＩＰサーバと通信可能に接続された、通信事業者自身の通信網に対する内線発信であるか当該通信事業者自身ではない通信網に対する内線発信であるかを仕分けるＳＩＰサーバであって、
前記通信事業者自身の通信網の内線電話から、内線発信である着信先番号を受信する第１の受信手段と、
前記第１の受信手段で受信された着信先番号が、前記共通ＳＩＰサーバに送信するための識別番号を含んでいるかいなかを判定する第１の判断手段と、
前記第１の判断手段により、前記識別番号を含んでいると判定された場合には、前記受信した着信先番号から前記識別番号を削除した着信先番号を前記共通ＳＩＰサーバに送信し、かつ前記識別番号を含んでいないと判定された場合には、前記受信した着信先番号に従って前記通信事業者自身の通信網の着信先に着信すべく着信要求する第１の送信手段と、
を備えることを特徴とするＳＩＰサーバ。
【請求項７】
通信事業者自身の通信網に対する内線発信であるか当該通信事業者自身ではない通信網に対する内線発信であるかを仕分ける複数のＳＩＰサーバと、複数の通信事業者の通信網毎に内線発信を仕分ける共通ＳＩＰサーバとが通信可能に接続された通信制御システムの制御方法であって、
前記複数のＳＩＰサーバの少なくとも１つの第１の受信手段が、前記通信事業者自身の通信網の内線電話から、内線発信である着信先番号を受信する第１の受信工程と、
前記複数のＳＩＰサーバの少なくとも１つの第１の判断手段が、前記第１の受信工程で受信された着信先番号が、前記共通ＳＩＰサーバに送信するための識別番号を含んでいるかいなかを判定する第１の判断工程と、
前記複数のＳＩＰサーバの少なくとも１つの第１の送信手段が、前記第１の判断工程により、前記識別番号を含んでいると判定された場合には、前記受信した着信先番号から前記識別番号を削除した着信先番号を前記共通ＳＩＰサーバに送信し、かつ前記識別番号を含んでいないと判定された場合には、前記受信した着信先番号に従って前記通信事業者自身の通信網の着信先に着信すべく着信要求する第１の送信工程と、
を含み、
前記共通ＳＩＰサーバは、
前記複数のＳＩＰサーバの通信網の内線番号を記憶する第１の記憶手段を備え、
前記共通ＳＩＰサーバの第２の受信手段が、前記第１の送信手段により送信された着信先番号を受信する第２の受信工程と、
前記共通ＳＩＰサーバの第２の判断手段が、前記第２の受信工程で受信された着信先番号が、前記第１の記憶手段に記憶されているか判定する第２の判断工程と、
前記共通ＳＩＰサーバの第２の送信手段が、前記第２の判断工程により前記第２の受信工程が受信した着信先番号が前記第１の記憶手段に記憶されていると判定された場合に、前記第２の受信工程が受信した着信先番号に対応する前記複数のＳＩＰサーバの１つに前記第２の受信工程が受信した着信先番号を送信する第２の送信工程と、
を含むことを特徴とする制御方法。
【請求項８】
通信事業者自身の通信網に対する内線発信であるか当該通信事業者自身ではない通信網に対する内線発信であるかを仕分ける複数のＳＩＰサーバと、複数の通信事業者の通信網毎に内線発信を仕分ける共通ＳＩＰサーバとが通信可能に接続された通信制御システムで読み取り実行可能なプログラムであって、
前記複数のＳＩＰサーバの少なくとも１つを、
前記通信事業者自身の通信網の内線電話から、内線発信である着信先番号を受信する第１の受信手段と、
前記第１の受信手段で受信された着信先番号が、前記共通ＳＩＰサーバに送信するための識別番号を含んでいるかいなかを判定する第１の判断手段と、
前記第１の判断手段により、前記識別番号を含んでいると判定された場合には、前記受信した着信先番号から前記識別番号を削除した着信先番号を前記共通ＳＩＰサーバに送信し、かつ前記識別番号を含んでいないと判定された場合には、前記受信した着信先番号に従って前記通信事業者自身の通信網の着信先に着信すべく着信要求する第１の送信手段と、
して機能させ、
前記共通ＳＩＰサーバを、
前記複数のＳＩＰサーバの通信網の内線番号を記憶する第１の記憶手段と、
前記第１の送信手段により送信された着信先番号を受信する第２の受信手段と、
前記第２の受信手段で受信された着信先番号が、前記第１の記憶手段に記憶されているか判定する第２の判断手段と、
前記第２の判断手段により前記第２の受信手段が受信した着信先番号が前記第１の記憶手段に記憶されていると判定された場合に、前記第２の受信手段が受信した着信先番号に対応する前記複数のＳＩＰサーバの１つに前記第２の受信手段が受信した着信先番号を送信する第２の送信手段と、
して機能させることを特徴とするプログラム。
【請求項９】
複数の通信事業者の通信網毎に内線発信を仕分け、複数のＳＩＰサーバの通信網の内線番号を記憶する第１の記憶手段に、１つのＳＩＰサーバから受信された着信先番号が記憶されている場合に、当該着信先番号に対応する前記複数のＳＩＰサーバの１つに当該着信先番号を送信する共通ＳＩＰサーバと通信可能に接続された、通信事業者自身の通信網に対する内線発信であるか当該通信事業者自身ではない通信網に対する内線発信であるかを仕分けるＳＩＰサーバの制御方法であって、
前記ＳＩＰサーバの第１の受信手段が、前記通信事業者自身の通信網の内線電話から、内線発信である着信先番号を受信する第１の受信工程と、
前記ＳＩＰサーバの第１の判断手段が、前記第１の受信工程で受信された着信先番号が、前記共通ＳＩＰサーバに送信するための識別番号を含んでいるかいなかを判定する第１の判断工程と、
前記ＳＩＰサーバの第１の送信手段が、前記第１の判断工程により、前記識別番号を含んでいると判定された場合には、前記受信した着信先番号から前記識別番号を削除した着信先番号を前記共通ＳＩＰサーバに送信し、かつ前記識別番号を含んでいないと判定された場合には、前記受信した着信先番号に従って前記通信事業者自身の通信網の着信先に着信すべく着信要求する第１の送信工程と、
を含むことを特徴とする制御方法。
【請求項１０】
複数の通信事業者の通信網毎に内線発信を仕分け、複数のＳＩＰサーバの通信網の内線番号を記憶する第１の記憶手段に、１つのＳＩＰサーバから受信された着信先番号が記憶されている場合に、当該着信先番号に対応する前記複数のＳＩＰサーバの１つに当該着信先番号を送信する共通ＳＩＰサーバと通信可能に接続された、通信事業者自身の通信網に対する内線発信であるか当該通信事業者自身ではない通信網に対する内線発信であるかを仕分けるＳＩＰサーバで読み取り実行可能なプログラムであって、
前記ＳＩＰサーバを、
前記通信事業者自身の通信網の内線電話から、内線発信である着信先番号を受信する第１の受信手段と、
前記第１の受信手段で受信された着信先番号が、前記共通ＳＩＰサーバに送信するための識別番号を含んでいるかいなかを判定する第１の判断手段と、
前記第１の判断手段により、前記識別番号を含んでいると判定された場合には、前記受信した着信先番号から前記識別番号を削除した着信先番号を前記共通ＳＩＰサーバに送信し、かつ前記識別番号を含んでいないと判定された場合には、前記受信した着信先番号に従って前記通信事業者自身の通信網の着信先に着信すべく着信要求する第１の送信手段と、
して機能させることを特徴とするプログラム。
【手続補正２】
【補正対象書類名】明細書
【補正対象項目名】発明の名称
【補正方法】変更
【補正の内容】
【発明の名称】通信制御システム、ＳＩＰサーバ
【手続補正３】
【補正対象書類名】明細書
【補正対象項目名】０００１
【補正方法】変更
【補正の内容】
【０００１】
通信制御システム、ＳＩＰサーバ及び制御方法とプログラムに関する。
【手続補正４】
【補正対象書類名】明細書
【補正対象項目名】００１７
【補正方法】変更
【補正の内容】
【００１７】
そこで、本願発明は、通信事業者毎のサーバが、共通サーバを識別する番号により通信事業者内部の通信網（自網）のみで接続処理をすべき内線発信要求か、または通信事業者外部の通信網（他網）に接続要求をすべき内線発信要求かを仕分けし、更に共通サーバが受信した内線発信要求が対応する通信事業者に内線発信要求を仕分けする場合には不要となってしまう共通サーバを識別する番号を、共通サーバが内線発信要求を受信する前に削除することで、異なる複数の通信事業者各社の通信網から要求された内線発信要求を通信事業者自身の通信網と他社の通信網にルーティングできる仕組みを提供する事を目的とする。
【手続補正５】
【補正対象書類名】明細書
【補正対象項目名】００１８
【補正方法】変更
【補正の内容】
【００１８】
本願発明は、通信事業者自身の通信網に対する内線発信であるか当該通信事業者自身ではない通信網に対する内線発信であるかを仕分ける複数のＳＩＰサーバと、複数の通信事業者の通信網毎に内線発信を仕分ける共通ＳＩＰサーバとが通信可能に接続された通信制御システムであって、前記複数のＳＩＰサーバの少なくとも１つは、前記通信事業者自身の通信網の内線電話から、内線発信である着信先番号を受信する第１の受信手段と、前記第１の受信手段で受信された着信先番号が、前記共通ＳＩＰサーバに送信するための識別番号を含んでいるかいなかを判定する第１の判断手段と、前記第１の判断手段により、前記識別番号を含んでいると判定された場合には、前記受信した着信先番号から前記識別番号を削除した着信先番号を前記共通ＳＩＰサーバに送信し、かつ前記識別番号を含んでいないと判定された場合には、前記受信した着信先番号に従って前記通信事業者自身の通信網の着信先に着信すべく着信要求する第１の送信手段と、を備え、前記共通ＳＩＰサーバは、前記複数のＳＩＰサーバの通信網の内線番号を記憶する第１の記憶手段と、前記第１の送信手段により送信された着信先番号を受信する第２の受信手段と、前記第２の受信手段で受信された着信先番号が、前記第１の記憶手段に記憶されているか判定する第２の判断手段と、前記第２の判断手段により前記第２の受信手段が受信した着信先番号が前記第１の記憶手段に記憶されていると判定された場合に、前記第２の受信手段が受信した着信先番号に対応する前記複数のＳＩＰサーバの１つに前記第２の受信手段が受信した着信先番号を送信する第２の送信手段と、を備えることを特徴とする。
【手続補正６】
【補正対象書類名】明細書
【補正対象項目名】００１９
【補正方法】変更
【補正の内容】
【００１９】
また、前記第２の送信手段は、前記第２の受信手段が受信した着信先番号を、前記第２の受信手段が受信した複数のＳＩＰサーバの１つではない複数のＳＩＰサーバの１つに送信することを特徴とする。
【手続補正７】
【補正対象書類名】明細書
【補正対象項目名】００２０
【補正方法】変更
【補正の内容】
【００２０】
また、前記第１の記憶手段は、前記複数のＳＩＰサーバの通信網の内線番号を、前記複数のＳＩＰサーバの通信網毎に分けて管理し、前記第２の送信手段は、前記通信網毎に分けた内線番号から、前記第２の受信手段が受信した着信先番号に対応する前記複数のＳＩＰサーバの１つを識別し、前記第２の受信手段が受信した着信先番号を送信することを特徴とする。
【手続補正８】
【補正対象書類名】明細書
【補正対象項目名】００２１
【補正方法】変更
【補正の内容】
【００２１】
また、前記第１の記憶手段が記憶する前記複数のＳＩＰサーバの通信網の内線番号は重複しない内線番号であることを特徴とする。
また、前記通信事業者自身の通信網の内線電話から、内線発信である着信先番号を受信する前記複数のＳＩＰサーバの少なくとも１つは、前記通信事業者自身の通信網の内線番号を記憶する第２の記憶手段と、前記共通ＳＩＰサーバから、着信先番号を受信する第３の受信手段と、前記第３の受信手段で受信された着信先番号が前記第２の記憶手段に記憶されているか判定する第３の判断手段と、をさらに備えることを特徴とする。
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】変更
【補正の内容】
【００２３】
本願発明により、通信事業者毎のサーバが、共通サーバを識別する番号により通信事業者内部の通信網（自網）のみで接続処理をすべき内線発信要求か、または通信事業者外部の通信網（他網）に接続要求をすべき内線発信要求かを仕分けし、更に共通サーバが受信した内線発信要求が対応する通信事業者に内線発信要求を仕分けする場合には不要となってしまう共通サーバを識別する番号を、共通サーバが内線発信要求を受信する前に削除することで、異なる複数の通信事業者各社の通信網から要求された内線発信要求を通信事業者自身の通信網と他社の通信網にルーティングできる仕組みを提供する事が可能となる。